(57)【要約】      （修正有）【課題】ジャックと接続するときの特性インピーダンスを低減するとともに、ジャックを差し入れするときの操作性を向上する同軸ケーブル用プラグを提供する。【解決手段】同軸ケーブル用プラグ１０は、同軸ケーブル２１の芯線２３と接続するプラグピン１５と、同軸ケーブル２１のシールド線２４と接続し先端側には先端側環状部１１ａが後端側には後端側環状部１１ｂが形成されたキャップ形状のプラグケース１１と、先端側環状部１１ａの内側に設けられるばね４０とを備え、円筒形状のジャック３０がプラグケース１１の中に挿入されるとき、ばね４０とプラグケース１１の後端側環状部１１ｂとに当接する。【選択図】      図１
2004193090.tif 000002
【特許請求の範囲】
【請求項１】
同軸ケーブルの芯線と接続するプラグピンと、前記同軸ケーブルのシールド線と接続し先端側には先端側環状部が後端側には前記先端側環状部より小径の後端側環状部が形成されたキャップ形状のプラグケースと、前記プラグケースの先端側環状部の内側に設けられるばねとを備え、円筒形状のジャックが前記プラグケースの中に挿入されるとき、前記ばねと前記プラグケースの後端側環状部とに当接することを特徴とする同軸ケーブル用プラグ。
【請求項２】
前記ばねは、複数の山形形状のバネ部が形成された長方形の板材が環状に曲げられ前記先端側環状部の内側に設けられることを特徴とする請求項１に記載の同軸ケーブル用プラグ。
【請求項３】
前記プラグケースは、後端に同軸ケーブル取付用のＬ型接続管部が設けられ、前記同軸ケーブルが前記Ｌ型接続管部の中で直角方向に曲げられ取付けられることを特徴とする請求項１に記載の同軸ケーブル用プラグ。
【請求項４】
前記プラグケースは、後端面側から側面側まで伸びケーブル挿通穴部が形成され、セミリジット同軸ケーブルが前記ケーブル挿通穴部を挿通し前記プラグケースの後端の内側で直角方向に曲げられ取付けられることを特徴とする請求項１に記載の同軸ケーブル用プラグ。
【発明の詳細な説明】
【０００１】
【発明の属する技術分野】
本発明は、ジャックと接続するときの特性インピーダンスを低減する同軸ケーブル用プラグに関する。
【０００２】
【従来の技術】
同軸ケーブル用プラグは、同軸ケーブルが取付けられ、プリント基板などに実装されたジャックと接続して使用されている（例えば、特許文献１）。
【０００３】
図６は、従来の同軸ケーブル用プラグ１１０の側面図を示し、図６（ａ）は、一部を切り欠いた側面図を示し、図６（ｂ）は、同軸ケーブルユニット１２０が取付けられたときの一部を切り欠いた側面図を示し、図６（ｃ）は、同軸ケーブルユニット１２０が取付けられジャック１３０と接続したときの一部を切り欠いた側面図を示す。
【０００４】
図６（ａ）に示すように、従来の同軸ケーブル用プラグ１１０は、キャップ形状のプラグケース１１１の中心にプラグピン１１５がピン取付絶縁基板１１６を介し取付けられ、プラグケース１１１の後端には同軸ケーブルユニット１２０の取付用の接続管部１１４が形成されている。ピン取付絶縁基板１１６は、複数のスリット部１１２のそれぞれの底部に設けられた取付突起部１１３が内側に曲げられ固定されている。
【０００５】
図６（ｂ）に示すように、同軸ケーブルユニット１２０は、同軸ケーブル１２１の端部が接続キャップ１２６に取付けられ、接続管部１１４が接続キャップ１２６に挿入され接続管部１１４と接続キャップ１２６とが接続し、接続キャップ１２６は外側からのかしめにより接続管部１１４に固定される。このとき同軸ケーブル１２１の芯線１２３は、プラグピン１１５の中を通り、プラグピン１１５の先端に設けられた芯線固定穴１１５ａの外側でハンダ付けにより固定され、同軸ケーブル１２１のシールド線１２４は接続管部１１４を介しプラグケース１１１と接続する。
【０００６】
図６（ｃ）に示すように、同軸ケーブルユニット１２０が取付けられた従来の同軸ケーブル用プラグ１１０は、プラグケース１１１にジャック１３０が挿入されジャック１３０との接続が行われる。このときプラグピン１１５は、ジャック１３０のピン受部１３１と接続し、プラグケース１１１は、ジャック１３０の胴体部１３２と接続する。
【０００７】
【特許文献１】
実開平６−５１５９号公報
【０００８】
【発明が解決しようとする課題】
しかしながら、従来の同軸ケーブル用プラグ１１０には、次に述べるような問題があった。
【０００９】
上記したごとく、従来の同軸ケーブル用プラグ１１０は、プリント基板などに実装されたジャック１３０と接続して使用されるが、プラグケース１１１のジャック取付部１１１ａは、ジャック１３０を挟み強固に取付けるため、内側に予め設定した傾斜角αで傾斜するように設定されている。
【００１０】
プラグケース１１１の先端側のジャック取付部１１１ａとジャック１３０の胴体部１３２とは接続点Ｐで接続するが、接続点Ｐより後方に行くにつれジャック取付部１１１ａは胴体部１３２とは離れ、高周波の信号電流は、胴体部１３２側では胴体部１３２と離れた外側を通る通電が行われることとなる。
【００１１】
そのため、従来の同軸ケーブル用プラグ１１０は、ジャック１３０と接続するとき傾斜したジャック取付部１１１ａのところの特性インピーダンスが増加し、高周波特性が悪化するという問題があった。
【００１２】
また、プラグケース１１１のジャック取付部１１１ａは、内側に予め設定した傾斜角αで傾斜させ鉄や真鍮などの高剛性の材料で形成しジャック１３０を強固に取付けるようにしているため、プラグケース１１１にジャック１３０を差し入れするときの操作性がよくないという問題があった。
【００１３】
本発明は、上記の問題に鑑みてなされたものであって、ジャックと接続するときの特性インピーダンスを低減するとともに、ジャックを差し入れするときの操作性を向上する同軸ケーブル用プラグを提供することを目的とする。
【００１４】
【課題を解決するための手段】
本発明の同軸ケーブル用プラグは、同軸ケーブルの芯線と接続するプラグピンと、前記同軸ケーブルのシールド線と接続し先端側には先端側環状部が後端側には前記先端側環状部より小径の後端側環状部が形成されたキャップ形状のプラグケースと、前記プラグケースの先端側環状部の内側に設けられるばねとを備え、円筒形状のジャックが前記プラグケースの中に挿入されるとき、前記ばねと前記プラグケースの後端側環状部とに当接することとした。
【００１５】
また、前記ばねは、複数の山形形状のバネ部が形成された長方形の板材が環状に曲げられ前記先端側環状部の内側に設けられることとした。
【００１６】
また、前記プラグケースは、後端に同軸ケーブル取付用のＬ型接続管部が設けられ、前記同軸ケーブルが前記Ｌ型接続管部の中で直角方向に曲げられ取付けられることとした。
【００１７】
さらに、前記プラグケースは、後端面側から側面側まで伸びケーブル挿通穴部が形成され、セミリジット同軸ケーブルが前記ケーブル挿通穴部を挿通し前記プラグケースの後端の内側で直角方向に曲げられ取付けられることとした。
【００１８】
【発明の実施の形態】
以下、本発明の実施の形態について図面を用い説明する。
【００１９】
図１は、本発明の第１の実施の形態の同軸ケーブル用プラグ１０の側面図を示し、図１（ａ）は、一部を切り欠いた側面図を示し、図１（ｂ）は、同軸ケーブルユニット２０が取付けられたときの一部を切り欠いた側面図を示し、図１（ｃ）は、同軸ケーブルユニット２０が取付けられジャック３０と接続したときの一部を切り欠いた側面図を示す。
【００２０】
図１（ａ）に示すように、本発明の第１の実施の形態の同軸ケーブル用プラグ１０は、キャップ形状のプラグケース１１の中心にプラグピン１５がピン取付絶縁基板１６を介し取付けられている。プラグケース１１は、先端側には先端側環状部１１ａが後端側には先端側環状部１１ａより小径の後端側環状部１１ｂが形成され、先端側環状部１１ａの内側には複数の山形形状のばね部４１を有するばね４０が設けられ、後端側環状部１１ｂの後端面には同軸ケーブルユニット２０の取付用の接続管部１４が形成されている。ピン取付絶縁基板１６は、後端側環状部１１ｂが外側からかしめられ内側に凸部１２が形成され後端側環状部１１ｂに固定されている。
【００２１】
図１（ｂ）に示すように、同軸ケーブルユニット２０は、同軸ケーブル２１の端部が接続キャップ２６に取付けられ、接続管部１４が接続キャップ２６に挿入され接続管部１４と接続キャップ２６とが接続し、接続キャップ２６は外側からのかしめにより接続管部１４に固定される。同軸ケーブル２１の芯線２３は、プラグピン１５の中を通り、プラグピン１５の先端に設けられた芯線固定穴１５ａの外側でハンダ付けにより固定され、同軸ケーブル２１のシールド線２４はプラグケース１１と接続する。
【００２２】
図１（ｃ）に示すように、同軸ケーブルユニット２０が取付けられた同軸ケーブル用プラグ１０は、プラグケース１１に円筒形状のジャック３０が挿入されジャック３０との接続が行われる。このときプラグピン１５はジャック３０のピン受部３１と接続し、プラグケース１１は、ジャック３０の胴体部３２がばね４０と後端側環状部１１ｂの内側とに当接し、同軸ケーブル用プラグ１０はジャック３０と接続する。
【００２３】
以上述べたように、プラグピン１５はジャック３０のピン受部３１と接続し、プラグケース１１はジャック３０の胴体部３２と接続するが、円筒形状のジャック３０が同軸ケーブル用プラグ１０のプラグケース１１に挿入されたとき、ジャック３０の胴体部３２は、ばね４０と胴体部３２とはばね部４１の頂点位置Ｐで当接するとともに、後端側環状部１１ｂの内側位置Ｑと当接する。そのため、高周波の信号電流は、胴体部３２側では胴体部３２に沿って通電が行われ、特性インピーダンスを低減し高周波特性を良好にすることができる。また、ジャック３０が挿入されたとき、ジャック３０の胴体部３２は、ばね部４１の頂点位置Ｐと後端側環状部１１ｂの内側位置Ｑとに当接するため、同軸ケーブル用プラグ１０はジャック３０を強固に取付けることができる。さらに、同軸ケーブル用プラグ１０にジャック３０を挿入したり取外したりするとき、ジャック３０の胴体部３２により山形形状のばね部４１が適度にたわみジャック３０の差し入れの操作性を向上することができる。
【００２４】
図２は、本発明の第１の実施の形態の同軸ケーブル用プラグ１０に用いられるばね４０の構造図を示し、図２（ａ）は、ばね４０の平面図を示し、図２（ｂ）は、図２（ａ）に示すばね４０のＡＡ断面図を示す。
【００２５】
図２（ａ）に示すように、ばね４０は、長方形の弾性板材に複数のばね部４１が長手方向に形成され、図２（ｂ）に示すように、ばね４０のばね部４１は山形形状に形成されている。ばね４０は、図１に示すようにプラグケース１１の先端側環状部１１ａに環状に曲げられて装着され、プラグケース１１にジャック３０（図１参照）が挿入されたとき、ばね部４１の山部Ｙがジャック３０の胴体部３２の外側と当接する。
【００２６】
図３は、本発明の第１の実施の形態の同軸ケーブル用プラグ１０に同軸ケーブルユニット２０が接続したときの側面図を示す。
【００２７】
図３に示すように、同軸ケーブルユニット２０は、同軸ケーブル２１の端部が接続キャップ２６に取付けられている。同軸ケーブル２１は、絶縁部２２の中心を芯線２３が通り、絶縁部２２の外側は、細いエナメル線で編まれたシールド線２４と絶縁チューブ２５とで覆われている。絶縁チューブ２５の先端が切り取られた同軸ケーブル２１は接続キャップ２６に挿入され、中心を芯線２３が通る絶縁部２２は接続管部１４に挿入されている。絶縁部２２が接続管部１４に挿入されるとき、シールド線２４は接続管部１４と接続キャップ２６とに挟まれ、接続キャップ２６が外側からかしめられ、同軸ケーブルユニット２０は接続管部１４に固定される。
【００２８】
従って、本発明の第１の実施の形態の同軸ケーブル用プラグは、ジャックと接続するときのインピーダンスを低減するとともに、ジャックを差し入れするときの操作性を向上することができる。
【００２９】
次に、本発明の第２の実施の形態のＬ型同軸ケーブル用プラグ５０につき説明する。
【００３０】
図４は、本発明の第２の実施の形態のＬ型同軸ケーブル用プラグ５０において同軸ケーブルユニット６０が取付けられたときの一部を切り欠いた側面図を示す。
【００３１】
図４に示すように、本発明の第２の実施の形態のＬ型同軸ケーブル用プラグ５０は、プラグケース５１の後端キャップ５１ｃの後端面に同軸ケーブルユニット６０の取付用のＬ型接続管部５４が形成されている。同軸ケーブルユニット６０は、同軸ケーブル６１の端部が接続キャップ６６に取付けられ、Ｌ型接続管部５４が接続キャップ６６に挿入されＬ型接続管部５４と接続キャップ６６とが接続し、接続キャップ６６は外側からのかしめによりＬ型接続管部５４に固定される。同軸ケーブル６１の芯線６３は、プラグピン５５の中を通り、プラグピン５５の先端に設けられた芯線固定穴５５ａの外側でハンダ付けにより固定され、同軸ケーブル６１のシールド線６４はプラグケース５１と接続し、同軸ケーブルユニット６０は、Ｌ型同軸ケーブル用プラグ５０に対し直角方向に取付けられる。Ｌ型同軸ケーブル用プラグ５０のその他の構造は、本発明の第１の実施の形態の同軸ケーブル用プラグ１０と同様であり、図１に示すジャック３０と接続が行われる。
【００３２】
従って、本発明の第２の実施の形態のＬ型同軸ケーブル用プラグ５０は、特性インピーダンスを低減し高周波特性を良好にしてジャックを強固に取付けることができ、ジャックの差し入れの操作性を向上することができ、さらに、同軸ケーブル６１が直角方向に取付けられるため、プリント基板などに実装されたジャックと接続して取付けられるとき、同軸ケーブル６１がプリント基板と平行になり、スペース的に有利なものとして使用することができる。
【００３３】
さらに、本発明の第３の実施の形態のＬ型同軸ケーブル用プラグ７０につき説明する。
【００３４】
図５は、本発明の第３の実施の形態のＬ型同軸ケーブル用プラグ７０においてセミリジット同軸ケーブル８１が取付けられたときの一部を切り欠いた側面図を示す。
【００３５】
図５に示すように、プラグケース７１の後端キャップ７１ｃには、底面側から側面側まで伸びコの字形状に切込まれた切込部が直角方向に曲げられ形成されたケーブル固定部７４と、ケーブル固定部７４が直角方向に曲げられることにより後端キャップ７１ｃの底面側から側面側まで伸び形成された矩形形状のケーブル挿通穴部７４ａとが設けられている。
【００３６】
セミリジット同軸ケーブル８１は、芯線８３が円柱形状の絶縁部８２の中心に設けられ、また、ネジ状またはリング状の突起が外周に形成され塑性変形が可能の例えば銅などの材質よりなりシールド部となる硬質外環部８４が絶縁部８２の外側に設けられ、曲げられたときの形状維持が可能となっている。
【００３７】
ケーブル挿通穴部７４ａに挿通されたセミリジット同軸ケーブル８１は、ケーブル挿通穴部７４ａに入りケーブル固定部７４により固定されている。ケーブル固定部７４は、矢印Ｓに示すように曲げられてケーブル挿通穴部７４ａの蓋となり、セミリジット同軸ケーブル８１は、曲げられたケーブル固定部７４にハンダ付けにより固定されている。また、セミリジット同軸ケーブル８１は、後端キャップ７１ｃの中で直角方向に曲げられ、先端方向で露出した芯線８３は、プラグピン７５の中を通りプラグピン７５の先端に明けられた芯線固定穴７５ａより外側に突出し、ハンダにより固定されプラグピン７５と接続している。
このようにセミリジット同軸ケーブル８１は、Ｌ型同軸ケーブル用プラグ７０に対し直角方向に取付けられ、Ｌ型同軸ケーブル用プラグ７０のその他の構造は、本発明の第１の実施の形態の同軸ケーブル用プラグ１０と同様であり、図１に示すジャック３０と接続が行われる。
【００３８】
従って、本発明の第３の実施の形態のＬ型同軸ケーブル用プラグ７０は、特性インピーダンスを低減し高周波特性を良好にしてジャックを強固に取付けることができ、ジャックの差し入れの操作性を向上することができ、さらに、セミリジット同軸ケーブル８１が直角方向に取付けられているため、プリント基板などに実装されたジャックと接続して取付けられるとき、セミリジット同軸ケーブル８１がプリント基板と平行になるため、スペース的に有利なものとして使用することができる。また、本発明の第３の実施の形態のＬ型同軸ケーブル用プラグ７０は、セミリジット同軸ケーブル８１を使用することにより、複雑な接続構造を必要とせず極めて容易にセミリジット同軸ケーブルを直角方向に取付けることができる。
【００３９】
なお、本発明の第１から第３の実施の形態の同軸ケーブル用プラグは、プラグケースの先端側環状部の内側にばねを設けたが、本発明のその他の実施の形態の同軸ケーブル用プラグとして、プラグケースの先端側環状部に内側に向け凸部を設け、ジャックが挿入されたときこの凸部とジャック３０の胴体部３２とが当接するようにすることもできる。
【００４０】
また、本発明の実施の形態の同軸ケーブル用プラグでは、同軸ケーブル用として説明したが、一般ケーブル用として使用することもできる。
【００４１】
【発明の効果】
本発明の同軸ケーブル用プラグは、同軸ケーブルの芯線と接続するプラグピンと、前記同軸ケーブルのシールド線と接続し先端側には先端側環状部が後端側には前記先端側環状部より小径の後端側環状部が形成されたキャップ形状のプラグケースと、前記プラグケースの先端側環状部の内側に設けられるばねとを備え、円筒形状のジャックが前記プラグケースの中に挿入されるとき、前記ばねと前記プラグケースの後端側環状部とに当接することとしたため、ジャックと接続するときのインピーダンスを低減するとともに、ジャックを差し入れするときの操作性を向上することができる。
【００４２】
また、前記ばねは、複数の山形形状のバネ部が形成された長方形の板材が環状に曲げられ前記先端側環状部の内側に設けられることとしたため、ジャックの差し入れをより円滑に行うことができる。
【００４３】
また、前記プラグケースは、後端に同軸ケーブル取付用のＬ型接続管部が設けられ、前記同軸ケーブルが前記Ｌ型接続管部の中で直角方向に曲げられ取付けられることとしたため、プリント基板などに実装されたジャックと接続して取付けられるとき、同軸ケーブルがプリント基板と平行になり、スペース的に有利なものとして使用することができる。
【００４４】
さらに、前記プラグケースは、後端面側から側面側まで伸びケーブル挿通穴部が形成され、セミリジット同軸ケーブルが前記ケーブル挿通穴部を挿通し前記プラグケースの後端の内側で直角方向に曲げられ取付けられることとしたため、プリント基板などに実装されたジャックと接続して取付けられるとき、スペース的に有利なものとして使用することができ、セミリジット同軸ケーブルを使用することにより、極めて容易にセミリジット同軸ケーブルを直角方向に取付けることができる。
【図面の簡単な説明】
【図１】本発明の第１の実施の形態の同軸ケーブル用プラグの側面図を示し、図１（ａ）は、一部を切り欠いた側面図を示し、図１（ｂ）は、同軸ケーブルユニットが取付けられたときの一部を切り欠いた側面図を示し、図１（ｃ）は、同軸ケーブルユニットが取付けられジャックと接続したときの一部を切り欠いた側面図を示す。
【図２】本発明の第１の実施の形態の同軸ケーブル用プラグに用いられるばねの構造図を示し、図２（ａ）は、ばねの平面図を示し、図２（ｂ）は、図２（ａ）に示すばねのＡＡ断面図を示す。
【図３】本発明の第１の実施の形態の同軸ケーブル用プラグに同軸ケーブルユニットが接続したときの側面図を示す。
【図４】本発明の第２の実施の形態のＬ型同軸ケーブル用プラグにおいて同軸ケーブルユニットが取付けられたときの一部を切り欠いた側面図を示す。
【図５】本発明の第３の実施の形態のＬ型同軸ケーブル用プラグにおいてセミリジット同軸ケーブルが取付けられたときの一部を切り欠いた側面図を示す。
【図６】従来の同軸ケーブル用プラグの側面図を示し、図６（ａ）は、一部を切り欠いた側面図を示し、図６（ｂ）は、同軸ケーブルユニットが取付けられたときの一部を切り欠いた側面図を示し、図６（ｃ）は、同軸ケーブルユニットが取付けられジャックと接続したときの一部を切り欠いた側面図を示す。
【符号の説明】
１０  同軸ケーブル用プラグ
１１、５１、７１  プラグケース
１１ａ  先端側環状部
１１ｂ  後端側環状部
１２  凸部１２
１４  接続管部
１５、５５、７５  プラグピン
１５ａ、５５ａ、７５ａ  芯線固定穴
１６  ピン取付絶縁基板
２０、６０  同軸ケーブルユニット
２１、６１  同軸ケーブル
２２、６２、８２  絶縁部
２３、６３、８３  芯線
２４、６４  シールド線
２５  絶縁チューブ
２６、６６  接続キャップ
３０  ジャック
３１  ピン受部
３２  胴体部
４０  ばね
４１  ばね部
５０、７０  Ｌ型同軸ケーブル用プラグ
５１ｃ  後端キャップ
５４  Ｌ型接続管部
７１ｃ  後端キャップ
７４  ケーブル固定部
７４ａ  ケーブル挿通穴部
８１  セミリジット同軸ケーブル
８４  硬質外環部
【図１】
2004193090.tif 000003
【図２】
2004193090.tif 000004
【図３】
2004193090.tif 000005
【図４】
2004193090.tif 000006
【図５】
2004193090.tif 000007
【図６】
2004193090.tif 000008